(57)【要約】  本願の実施例は、ＤＣＩ（例えば、ＵＲＬＬＣサービスをスケジューリングするためのＤＣＩ）の伝送の依頼性を向上させることができる下り制御情報の伝送方法、端末デバイス及びネットワークデバイスを提供する。該方法は、端末デバイスがネットワークデバイスにより送信された第１のＤＣＩを受信することと、該端末デバイスが該第１のＤＣＩのＤＣＩフォーマット及び構成情報に基づいて該第１のＤＣＩを解析することとを含み、ここで、該構成情報がＤＣＩフォーマットに対応する。
2021517762.tif 000002
【特許請求の範囲】
【請求項１】
端末デバイスがネットワークデバイスにより送信された第１の下り制御情報ＤＣＩを受信することと、
前記端末デバイスが前記第１のＤＣＩのＤＣＩフォーマット及びＤＣＩフォーマットに対応する構成情報に基づいて前記第１のＤＣＩを解析することとを含む
ことを特徴とする下り制御情報の伝送方法。
【請求項２】
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする請求項１に記載の下り制御情報の伝送方法。
【請求項３】
前記端末デバイスが前記第１のＤＣＩのＤＣＩフォーマット及び構成情報に基づいて前記第１のＤＣＩを解析することは、
前記端末デバイスが前記第１のＤＣＩのＤＣＩフォーマット及び前記構成情報に基づいて、前記第１のＤＣＩによりスケジューリングされて伝送されるデータの時間領域リソース及び／又は周波数領域リソース及び／又はＣＳＩ報告を解析することを含む
ことを特徴とする請求項２に記載の下り制御情報の伝送方法。
【請求項４】
前記ＤＣＩフォーマットは、圧縮ＤＣＩフォーマット及び／又は通常ＤＣＩフォーマットを含む
ことを特徴とする請求項２又は３に記載の下り制御情報の伝送方法。
【請求項５】
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応し、
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩにおける時間領域リソース指示ドメインの値及び前記第１の時間領域リソース指示情報に基づいて前記第１のＤＣＩによりスケジューリングされて伝送されるデータの時間領域リソース位置を決定すること、又は、
前記第１のＤＣＩのＤＣＩフォーマットが前記通常ＤＣＩフォーマットに属する場合、前記端末デバイスが前記第１のＤＣＩにおける時間領域リソース指示ドメインの値及び前記第２の時間領域リソース指示情報に基づいて前記第１のＤＣＩによりスケジューリングされて伝送されるデータの時間領域リソース位置を決定することを含む
ことを特徴とする請求項２〜４のいずれか１項に記載の下り制御情報の伝送方法。
【請求項６】
前記第１の時間領域リソース指示情報によって示す時間領域リソースが前記第１のＤＣＩが位置するサブフレームを含み、又は、前記第１のＤＣＩが位置するサブフレーム及び前記第１のＤＣＩが位置するサブフレームの次のサブフレームを含み、又は、
前記第１の時間領域リソース指示情報によって示す時間領域リソースの構成数が前記第２の時間領域リソース指示情報によって示す時間領域リソースの構成数よりも小さい
ことを特徴とする請求項５に記載の下り制御情報の伝送方法。
【請求項７】
前記構成情報が第１のＣＳＩ報告セット及び第２のＣＳＩ報告セットを含み、
前記第１のＣＳＩ報告セットが圧縮ＤＣＩフォーマットに対応し、前記第２のＣＳＩ報告セットが通常ＤＣＩフォーマットに対応し、
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩにおけるＣＳＩ報告指示ドメインの値及び前記第１のＣＳＩ報告セットに基づいて前記第１のＤＣＩによりスケジューリングされて伝送されるデータのＣＳＩ報告を決定すること、又は、
前記第１のＤＣＩのＤＣＩフォーマットが前記通常ＤＣＩフォーマットに属する場合、前記端末デバイスが前記第１のＤＣＩにおける時間領域リソース指示ドメインの値及び前記第２のＣＳＩ報告セットに基づいて前記第１のＤＣＩによりスケジューリングされて伝送されるデータのＣＳＩ報告を決定することを含む
ことを特徴とする請求項２〜６のいずれか１項に記載の下り制御情報の伝送方法。
【請求項８】
前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
前記第２のＣＳＩ報告セットに含まれるＣＳＩ報告の数が前記第１のＣＳＩ報告セットに含まれるＣＳＩ報告の数よりも大きく、又は、
前記第２のＣＳＩ報告セットは、半静的トリガーされる周期的ＣＳＩ報告を含み、又は、
前記第２のＣＳＩ報告セットに含まれるＣＳＩ報告のトリガーシグナリングによって占用されるビット数が前記第１のＣＳＩ報告セットに含まれるＣＳＩ報告のトリガーシグナリングによって占用されるビット数よりも大きい
ことを特徴とする請求項７に記載の下り制御情報の伝送方法。
【請求項９】
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応し、
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩのドメイン値及び前記第１の周波数領域リソース指示粒度に基づいて、前記第１のＤＣＩによりスケジューリングされて伝送されるデータの周波数領域リソースを決定すること、又は、
前記第１のＤＣＩのＤＣＩフォーマットが前記通常ＤＣＩフォーマットに属する場合、前記端末デバイスが前記第１のＤＣＩのドメイン値及び前記第２の周波数領域リソース指示粒度に基づいて、前記第１のＤＣＩによりスケジューリングされて伝送されるデータの周波数領域リソースを決定することを含む
ことを特徴とする請求項２〜８のいずれか１項に記載の下り制御情報の伝送方法。
【請求項１０】
前記第１の周波数領域リソース指示粒度によって示す周波数領域粒度が前記第２の周波数領域リソース指示粒度によって示す周波数領域粒度よりも大きい
ことを特徴とする請求項９に記載の下り制御情報の伝送方法。
【請求項１１】
前記構成情報が第１の周波数領域リソース指示タイプ及び第２の周波数領域リソース指示タイプを含み、
前記第２の周波数領域リソース指示タイプが圧縮ＤＣＩフォーマットに対応し、前記第１の周波数領域リソース指示タイプと前記第２の周波数領域リソース指示タイプが前記通常ＤＣＩフォーマットに対応し、
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩのドメイン値及び前記第２の周波数領域リソース指示タイプに基づいて、前記第１のＤＣＩによりスケジューリングされて伝送されるデータの周波数領域リソースを決定すること、又は、
前記第１のＤＣＩのＤＣＩフォーマットが前記通常ＤＣＩフォーマットに属する場合、前記端末デバイスが前記第１のＤＣＩのドメイン値及び前記第１の周波数領域リソース指示タイプ及び／又は前記第２の周波数領域リソース指示タイプに基づいて、前記第１のＤＣＩによりスケジューリングされて伝送されるデータの周波数領域リソースを決定することを含む
ことを特徴とする請求項２〜１０のいずれか１項に記載の下り制御情報の伝送方法。
【請求項１２】
前記第１のＤＣＩは、高信頼低遅延通信ＵＲＬＬＣサービスをスケジューリングするために使用される
ことを特徴とする請求項１〜１１のいずれか１項に記載の下り制御情報の伝送方法。
【請求項１３】
前記端末デバイスが前記第１のＤＣＩのＤＣＩフォーマット及び構成情報に基づいて前記第１のＤＣＩを解析する前に、前記方法は、さらに、
前記端末デバイスが前記ネットワークデバイスにより送信された前記構成情報を受信することを含む
ことを特徴とする請求項１〜１２のいずれか１項に記載の下り制御情報の伝送方法。
【請求項１４】
前記端末デバイスが前記ネットワークデバイスにより送信された前記構成情報を受信することは、
前記端末デバイスが上位レイヤシグナリングを介して前記ネットワークデバイスにより送信された前記構成情報を受信することを含む
ことを特徴とする請求項１３に記載の下り制御情報の伝送方法。
【請求項１５】
ネットワークデバイスが下り制御情報ＤＣＩフォーマットに対応する構成情報を端末デバイスに送信することと、
前記端末デバイスが前記第１のＤＣＩのＤＣＩフォーマット及び前記構成情報に基づいて前記第１のＤＣＩを解析するように、前記ネットワークデバイスが前記端末デバイスに第１のＤＣＩを送信することとを含む
ことを特徴とする下り制御情報の伝送方法。
【請求項１６】
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする請求項１５に記載の下り制御情報の伝送方法。
【請求項１７】
前記ＤＣＩフォーマットは、圧縮ＤＣＩフォーマット及び／又は通常ＤＣＩフォーマットを含む
ことを特徴とする請求項１６に記載の下り制御情報の伝送方法。
【請求項１８】
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応する
ことを特徴とする請求項１６又は１７に記載の下り制御情報の伝送方法。
【請求項１９】
前記第１の時間領域リソース指示情報によって示す時間領域リソースが前記第１のＤＣＩが位置するサブフレームを含み、又は、前記第１のＤＣＩが位置するサブフレーム及び前記第１のＤＣＩが位置するサブフレームの次のサブフレームを含み、又は、
前記第２の時間領域リソース指示情報によって示す時間領域リソースの構成数が前記第３の時間領域リソース指示情報によって示す時間領域リソースの構成数よりも小さい
ことを特徴とする請求項１８に記載の下り制御情報の伝送方法。
【請求項２０】
前記構成情報が第１のＣＳＩ報告セット及び第２のＣＳＩ報告セットを含み、
前記第１のＣＳＩ報告セットが圧縮ＤＣＩフォーマットに対応し、前記第２のＣＳＩ報告セットが通常ＤＣＩフォーマットに対応する
ことを特徴とする請求項１６〜１９のいずれか１項に記載の下り制御情報の伝送方法。
【請求項２１】
前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
前記第２のＣＳＩ報告セットに含まれるＣＳＩ報告の数が前記第１のＣＳＩ報告セットに含まれるＣＳＩ報告の数よりも大きく、又は、
前記第２のＣＳＩ報告セットは、半静的トリガーされる周期的ＣＳＩ報告を含み、又は、
前記第２のＣＳＩ報告セットに含まれるＣＳＩ報告のトリガーシグナリングによって占用されるビット数が前記第１のＣＳＩ報告セットに含まれるＣＳＩ報告のトリガーシグナリングによって占用されるビット数よりも大きい
ことを特徴とする請求項２０に記載の下り制御情報の伝送方法。
【請求項２２】
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応する
ことを特徴とする請求項１６〜２１のいずれか１項に記載の下り制御情報の伝送方法。
【請求項２３】
前記第１の周波数領域リソース指示粒度によって示す周波数領域粒度が前記第２の周波数領域リソース指示粒度によって示す周波数領域粒度よりも大きい
ことを特徴とする請求項２２に記載の下り制御情報の伝送方法。
【請求項２４】
前記構成情報が第１の周波数領域リソース指示タイプ及び第２の周波数領域リソース指示タイプを含み、前記第２の周波数領域リソース指示タイプが前記圧縮ＤＣＩフォーマットに対応し、前記第１の周波数領域リソースタイプと前記第２の周波数領域リソース指示タイプが前記通常ＤＣＩフォーマットに対応する
ことを特徴とする請求項１６〜２３のいずれか１項に記載の下り制御情報の伝送方法。
【請求項２５】
前記第１のＤＣＩは、高信頼低遅延通信ＵＲＬＬＣサービスをスケジューリングするために使用される
ことを特徴とする請求項１５〜２４のいずれか１項に記載の下り制御情報の伝送方法。
【請求項２６】
前記ネットワークデバイスが端末デバイスに構成情報を送信することは、
前記ネットワークデバイスが上位レイヤシグナリングを介して前記ネットワークデバイスに前記構成情報を送信することを含む
ことを特徴とする請求項１５〜２５のいずれか１項に記載の下り制御情報の伝送方法。
【請求項２７】
通信ユニットと、処理ユニットと、を備える端末デバイスであって、
前記通信ユニットは、ネットワークデバイスにより送信された第１の下り制御情報ＤＣＩを受信するように構成され、
前記処理ユニットは、前記第１のＤＣＩのＤＣＩフォーマット及び構成情報に基づいて前記第１のＤＣＩを解析するように構成され、前記構成情報がＤＣＩフォーマットに対応する
ことを特徴とする端末デバイス。
【請求項２８】
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする請求項２７に記載の端末デバイス。
【請求項２９】
前記処理ユニットは、
前記第１のＤＣＩのＤＣＩフォーマット及び前記構成情報に基づいて前記第１のＤＣＩによりスケジューリングされて伝送されるデータの時間領域リソース及び／又は周波数領域リソース及び／又はＣＳＩ報告を解析するように構成される
ことを特徴とする請求項２８に記載の端末デバイス。
【請求項３０】
前記ＤＣＩフォーマットは、圧縮ＤＣＩフォーマット及び／又は通常ＤＣＩフォーマットを含む
ことを特徴とする請求項２８又は２９に記載の端末デバイス。
【請求項３１】
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応し、
前記処理ユニットは、
前記第１のＤＣＩのＤＣＩフォーマットが前記圧縮ＤＣＩフォーマットに属する場合、前記第１のＤＣＩにおける時間領域リソース指示ドメインの値及び前記第１の時間領域リソース指示情報に基づいて、前記第１のＤＣＩによりスケジューリングされて伝送されるデータの時間領域リソース位置を決定し、又は、
前記第１のＤＣＩのＤＣＩフォーマットが前記通常ＤＣＩフォーマットに属する場合、前記第１のＤＣＩにおける時間領域リソース指示ドメインの値及び前記第２の時間領域リソース指示情報に基づいて、前記第１のＤＣＩによりスケジューリングされて伝送されるデータの時間領域リソース位置を決定するように構成される
ことを特徴とする請求項２８〜３０のいずれか１項に記載の端末デバイス。
【請求項３２】
前記第１の時間領域リソース指示情報によって示す時間領域リソースが前記第１のＤＣＩが位置するサブフレームを含み、又は、前記第１のＤＣＩが位置するサブフレーム及び前記第１のＤＣＩが位置するサブフレームの次のサブフレームを含み、又は、
前記第１の時間領域リソース指示情報によって示す時間領域リソースの構成数が前記第２の時間領域リソース指示情報によって示す時間領域リソースの構成数よりも小さい
ことを特徴とする請求項３１に記載の端末デバイス。
【請求項３３】
前記構成情報が第１のＣＳＩ報告セット及び第２のＣＳＩ報告セットを含み、前記第１のＣＳＩ報告セットが圧縮ＤＣＩフォーマットに対応し、前記第２のＣＳＩ報告セットが通常ＤＣＩフォーマットに対応し、
前記処理ユニットは、
前記第１のＤＣＩのＤＣＩフォーマットが前記圧縮ＤＣＩフォーマットに属する場合、前記第１のＤＣＩにおけるＣＳＩ報告指示ドメインの値及び前記第１のＣＳＩ報告セットに基づいて前記第１のＤＣＩによりスケジューリングされて伝送されるデータのＣＳＩ報告を決定し、又は、
前記第１のＤＣＩのＤＣＩフォーマットが前記通常ＤＣＩフォーマットに属する場合、前記第１のＤＣＩにおけるＣＳＩ報告指示ドメインの値及び前記第２のＣＳＩ報告セットに基づいて前記第１のＤＣＩによりスケジューリングされて伝送されるデータのＣＳＩ報告を決定するように構成される
ことを特徴とする請求項２８〜３２のいずれか１項に記載の端末デバイス。
【請求項３４】
前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
前記第２のＣＳＩ報告セットに含まれるＣＳＩ報告の数が前記第１のＣＳＩ報告セットに含まれるＣＳＩ報告の数よりも大きく、又は、
前記第２のＣＳＩ報告セットは、半静的トリガーされる周期的ＣＳＩ報告を含み、又は、
前記第２のＣＳＩ報告セットに含まれるＣＳＩ報告のトリガーシグナリングによって占用されるビット数が前記第１のＣＳＩ報告セットに含まれるＣＳＩ報告のトリガーシグナリングによって占用されるビット数よりも大きい
ことを特徴とする請求項３３に記載の端末デバイス。
【請求項３５】
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応し、
前記処理ユニットは、
前記第１のＤＣＩのＤＣＩフォーマットが前記圧縮ＤＣＩフォーマットに属する場合、前記端末デバイスが前記第１のＤＣＩのドメイン値及び前記第１の周波数領域リソース指示粒度に基づいて、前記第１のＤＣＩによりスケジューリングされて伝送されるデータの周波数領域リソースを決定し、又は、
前記第１のＤＣＩのＤＣＩフォーマットが前記通常ＤＣＩフォーマットに属する場合、前記端末デバイスが前記第１のＤＣＩのドメイン値及び前記第２の周波数領域リソース指示粒度に基づいて、前記第１のＤＣＩによりスケジューリングされて伝送されるデータの周波数領域リソースを決定するように構成される
ことを特徴とする請求項２８〜３４のいずれか１項に記載の端末デバイス。
【請求項３６】
前記第１の周波数領域リソース指示粒度によって示す周波数領域粒度が前記第２の周波数領域リソース指示粒度によって示す周波数領域粒度よりも大きい
ことを特徴とする請求項３５に記載の端末デバイス。
【請求項３７】
前記構成情報が第１の周波数領域リソース指示タイプ及び第２の周波数領域リソース指示タイプを含み、前記第２の周波数領域リソース指示タイプが圧縮ＤＣＩフォーマットに対応し、前記第１の周波数領域リソース指示タイプと前記第２の周波数領域リソース指示タイプが前記通常ＤＣＩフォーマットに対応し、
前記処理ユニットは、
前記第１のＤＣＩのＤＣＩフォーマットが前記圧縮ＤＣＩフォーマットに属する場合、前記第１のＤＣＩのドメイン値及び前記第２の周波数領域リソース指示タイプに基づいて、前記第１のＤＣＩによりスケジューリングされて伝送されるデータの周波数領域リソースを決定し、又は、
前記第１のＤＣＩのＤＣＩフォーマットが前記通常ＤＣＩフォーマットに属する場合、前記第１のＤＣＩのドメイン値及び前記第１の周波数領域リソース指示タイプ及び／又は前記第２の周波数領域リソース指示タイプに基づいて、前記第１のＤＣＩによりスケジューリングされて伝送されるデータの周波数領域リソースを決定するように構成される
ことを特徴とする請求項２８〜３６のいずれか１項に記載の端末デバイス。
【請求項３８】
前記第１のＤＣＩは、高信頼低遅延通信ＵＲＬＬＣサービスをスケジューリングするために使用される
ことを特徴とする請求項２７〜３７のいずれか１項に記載の端末デバイス。
【請求項３９】
前記処理ユニットが前記第１のＤＣＩのＤＣＩフォーマット及び構成情報に基づいて前記第１のＤＣＩを解析する前に、前記通信ユニットは、さらに、前記ネットワークデバイスにより送信される前記構成情報を受信するように構成される
ことを特徴とする請求項２７〜３８のいずれか１項に記載の端末デバイス。
【請求項４０】
前記通信ユニットは、
上位レイヤシグナリングを介して前記ネットワークデバイスにより送信された前記構成情報を受信するように構成される
ことを特徴とする請求項３９に記載の端末デバイス。
【請求項４１】
通信ユニットを備えるネットワークデバイスであって、
前記通信ユニットは、下り制御情報ＤＣＩフォーマットに対応する構成情報を端末デバイスに送信するように構成され、
前記通信ユニットは、さらに、前記端末デバイスが前記第１のＤＣＩのＤＣＩフォーマット及び前記構成情報に基づいて前記第１のＤＣＩを解析するように、前記端末デバイスに第１のＤＣＩを送信するように構成される
ことを特徴とするネットワークデバイス。
【請求項４２】
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする請求項４１に記載のネットワークデバイス。
【請求項４３】
前記ＤＣＩフォーマットは、圧縮ＤＣＩフォーマット及び／又は通常ＤＣＩフォーマットを含む
ことを特徴とする請求項４２に記載のネットワークデバイス。
【請求項４４】
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応する
ことを特徴とする請求項４２又は４３に記載のネットワークデバイス。
【請求項４５】
前記第１の時間領域リソース指示情報によって示す時間領域リソースが前記第１のＤＣＩが位置するサブフレームを含み、又は、前記第１のＤＣＩが位置するサブフレーム及び前記第１のＤＣＩが位置するサブフレームの次のサブフレームを含み、又は、
前記第２の時間領域リソース指示情報によって示す時間領域リソースの構成数が前記第３の時間領域リソース指示情報によって示す時間領域リソースの構成数よりも小さい
ことを特徴とする請求項４４に記載のネットワークデバイス。
【請求項４６】
前記構成情報が第１のＣＳＩ報告セット及び第２のＣＳＩ報告セットを含み、前記第１のＣＳＩ報告セットが圧縮ＤＣＩフォーマットに対応し、前記第２のＣＳＩ報告セットが通常ＤＣＩフォーマットに対応する
ことを特徴とする請求項４２〜４５のいずれか１項に記載のネットワークデバイス。
【請求項４７】
前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
前記第２のＣＳＩ報告セットに含まれるＣＳＩ報告の数が前記第１のＣＳＩ報告セットに含まれるＣＳＩ報告の数よりも大きく、又は、
前記第２のＣＳＩ報告セットは、半静的トリガーされる周期的ＣＳＩ報告を含み、又は、
前記第２のＣＳＩ報告セットに含まれるＣＳＩ報告のトリガーシグナリングによって占用されるビット数が前記第１のＣＳＩ報告セットに含まれるＣＳＩ報告のトリガーシグナリングによって占用されるビット数よりも大きい
ことを特徴とする請求項４６に記載のネットワークデバイス。
【請求項４８】
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応する
ことを特徴とする請求項４２〜４７のいずれか１項に記載のネットワークデバイス。
【請求項４９】
前記第１の周波数領域リソース指示粒度によって示す周波数領域粒度が前記第２の周波数領域リソース指示粒度によって示す周波数領域粒度よりも大きい
ことを特徴とする請求項４８に記載のネットワークデバイス。
【請求項５０】
前記構成情報が第１の周波数領域リソース指示タイプ及び第２の周波数領域リソース指示タイプを含み、前記第２の周波数領域リソース指示タイプが前記圧縮ＤＣＩフォーマットに対応し、前記第１の周波数領域リソースタイプ及び前記第２の周波数領域リソース指示タイプが前記通常ＤＣＩフォーマットに対応する
ことを特徴とする請求項４２〜４９のいずれか１項に記載のネットワークデバイス。
【請求項５１】
前記第１のＤＣＩは、高信頼低遅延通信ＵＲＬＬＣサービスをスケジューリングするために使用される
ことを特徴とする請求項４１〜５０のいずれか１項に記載のネットワークデバイス。
【請求項５２】
前記通信ユニットは、
上位レイヤシグナリングを介して前記ネットワークデバイスに前記構成情報を送信するように構成される
ことを特徴とする請求項４１〜５１のいずれか１項に記載のネットワークデバイス。
【発明の詳細な説明】
【技術分野】
【０００１】
本願は、通信分野に関し、具体的に、下り制御情報の伝送方法、端末デバイス及びネットワークデバイスに関する。
【背景技術】
【０００２】
第５世代移動体通信技術の新しいラジオ( ５−Ｇｅｎｅｒａｔｉｏｎ Ｎｅｗ Ｒａｄｉｏ、５Ｇ ＮＲ )通信システムでは、高信頼低遅延通信（Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ）サービスが導入され、ＵＲＬＬＣサービスは、極端な遅延時間(例えば１ｍｓ )内で、超高信頼(例えば９９.９９９% )伝送を実現することを特徴とし、この目的のためには、ＵＲＬＬＣサービスは、データ伝送の高い信頼性だけでなく、制御情報伝送にも高い信頼性が要求される。
【０００３】
制御情報、特に下り制御情報( Ｄｏｗｎｌｉｎｋ Ｃｏｎｔｒｏｌ Ｉｎｆｏｒｍａｔｉｏｎ、ＤＣＩ )の伝送信頼性をどのように向上させることは、解決すべき課題である。
【発明の概要】
【０００４】
本願の実施例は、ＤＣＩ（例えば、ＵＲＬＬＣサービスをスケジューリングするためのＤＣＩ）の伝送信頼性を向上させることができる下り制御情報の伝送方法、端末デバイス及びネットワークデバイスを提供する。
【０００５】
第１の態様として、本願の実施例が下り制御情報の伝送方法を提供し、
端末デバイスがネットワークデバイスにより送信された第１のＤＣＩを受信することと、
該端末デバイスが該第１のＤＣＩのＤＣＩフォーマット及び構成情報に基づいて該第１のＤＣＩを解析することとを含み、ここで、該構成情報がＤＣＩフォーマットに対応する。
【０００６】
任意選択で、第１の態様の実現可能な形態において、該構成情報は、時間領域リソース指示情報、チャネル状態情報（Ｃｈａｎｎｅｌ  Ｓｔａｔｅ  Ｉｎｆｏｒｍａｔｉｏｎ、ＣＳＩ）報告セット、周波数領域リソース指示タイプ、周波数領域リソース指示粒度のうちの少なくとも１つを含む。
【０００７】
任意選択で、第１の態様の実現可能な形態において、該端末デバイスが該第１のＤＣＩのＤＣＩフォーマット及び構成情報に基づいて該第１のＤＣＩを解析することは、
該端末デバイスが該第１のＤＣＩのＤＣＩフォーマット及び該構成情報に基づいて該第１のＤＣＩによりスケジューリングされて伝送されるデータの時間領域リソース及び／又は周波数領域リソース及び／又はＣＳＩ報告を解析することを含む。
【０００８】
任意選択で、第１の態様の実現可能な形態において、該ＤＣＩフォーマットが圧縮ＤＣＩフォーマット及び／又は通常ＤＣＩフォーマットを含む。
【０００９】
任意選択で、第１の態様の実現可能な形態において、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応し、
該端末デバイスが該第１のＤＣＩのＤＣＩフォーマット及び構成情報に基づいて該第１のＤＣＩを解析することは、
該第１のＤＣＩのＤＣＩフォーマットが該圧縮ＤＣＩフォーマットに属する場合、該端末デバイスが該第１のＤＣＩにおける時間領域リソース指示ドメインの値及び該第１の時間領域リソース指示情報に基づいて該第１のＤＣＩによりスケジューリングされて伝送されるデータの時間領域リソース位置を決定すること、又は、
該第１のＤＣＩのＤＣＩフォーマットが該通常ＤＣＩフォーマットに属する場合、該端末デバイスが該第１のＤＣＩにおける時間領域リソース指示ドメインの値及び該第２の時間領域リソース指示情報に基づいて該第１のＤＣＩによりスケジューリングされて伝送されるデータの時間領域リソース位置を決定することを含む。
【００１０】
任意選択で、第１の態様の実現可能な形態において、該第１の時間領域リソース指示情報によって示す時間領域リソースが該第１のＤＣＩが位置するサブフレームを含み、又は、該第１のＤＣＩが位置するサブフレーム及び該第１のＤＣＩが位置するサブフレームの次のサブフレームを含み、又は、
該第１の時間領域リソース指示情報によって示す時間領域リソースの構成数が該第２の時間領域リソース指示情報によって示す時間領域リソースの構成数よりも小さい。
【００１１】
任意選択で、第１の態様の実現可能な形態において、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応し、
該端末デバイスが該第１のＤＣＩのＤＣＩフォーマット及び構成情報に基づいて該第１のＤＣＩを解析することは、
該第１のＤＣＩのＤＣＩフォーマットが該圧縮ＤＣＩフォーマットに属する場合、該端末デバイスが該第１のＤＣＩにおけるＣＳＩ報告指示ドメインの値及び該第１のＣＳＩ報告セットに基づいて該第１のＤＣＩによりスケジューリングされて伝送されるデータのＣＳＩ報告を決定すること、又は、
該第１のＤＣＩのＤＣＩフォーマットが該通常ＤＣＩフォーマットに属する場合、該端末デバイスが該第１のＤＣＩにおけるＣＳＩ報告指示ドメインの値及び該第２のＣＳＩ報告セットに基づいて該第１のＤＣＩによりスケジューリングされて伝送されるデータのＣＳＩ報告を決定することを含む。
【００１２】
任意選択で、第１の態様の実現可能な形態において、
前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【００１３】
任意選択で、第１の態様の実現可能な形態において、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応し、
該端末デバイスが該第１のＤＣＩのＤＣＩフォーマット及び構成情報に基づいて該第１のＤＣＩを解析することは、
該第１のＤＣＩのＤＣＩフォーマットが該圧縮ＤＣＩフォーマットに属する場合、該端末デバイスが該第１のＤＣＩのドメイン値及び該第１の周波数領域リソース指示粒度に基づいて、該第１のＤＣＩによりスケジューリングされて伝送されるデータの周波数領域リソースを決定すること、又は、
該第１のＤＣＩのＤＣＩフォーマットが該通常ＤＣＩフォーマットに属する場合、該端末デバイスが該第１のＤＣＩのドメイン値及び該第２の周波数領域リソース指示粒度に基づいて、該第１のＤＣＩによりスケジューリングされて伝送されるデータの周波数領域リソースを決定することを含む。
【００１４】
任意選択で、第１の態様の実現可能な形態において、該第１の周波数領域リソース指示粒度によって示す周波数領域粒度が該第２の周波数領域リソース指示粒度によって示す周波数領域粒度よりも大きい。
【００１５】
任意選択で、第１の態様の実現可能な形態において、該構成情報が第１の周波数領域リソース指示タイプ及び第２の周波数領域リソース指示タイプを含み、ここで、該第２の周波数領域リソース指示タイプが圧縮ＤＣＩフォーマットに対応し、該第１の周波数領域リソース指示タイプと該第２の周波数領域リソース指示タイプとが該通常ＤＣＩフォーマットに対応し、
該端末デバイスが該第１のＤＣＩのＤＣＩフォーマット及び構成情報に基づいて該第１のＤＣＩを解析することは、
該第１のＤＣＩのＤＣＩフォーマットが該圧縮ＤＣＩフォーマットに属する場合、該端末デバイスが該第１のＤＣＩのドメイン値及び該第２の周波数領域リソース指示タイプに基づいて、該第１のＤＣＩによりスケジューリングされて伝送されるデータの周波数領域リソースを決定すること、又は、
該第１のＤＣＩのＤＣＩフォーマットが該通常ＤＣＩフォーマットに属する場合、該端末デバイスが該第１のＤＣＩのドメイン値及び該第１の周波数領域リソース指示タイプ及び／又は該第２の周波数領域リソース指示タイプに基づいて、該第１のＤＣＩによりスケジューリングされて伝送されるデータの周波数領域リソースを決定することを含む。
【００１６】
任意選択で、第１の態様の実現可能な形態において、該第１のＤＣＩは、ＵＲＬＬＣサービスをスケジューリングするために使用される。
【００１７】
任意選択で、第１の態様の実現可能な形態において、該端末デバイスが該第１のＤＣＩのＤＣＩフォーマット及び構成情報に基づいて該第１のＤＣＩを解析する前に、該方法は、さらに、
該端末デバイスが該ネットワークデバイスにより送信された該構成情報を受信することを含む。
【００１８】
任意選択で、第１の態様の実現可能な形態において、該端末デバイスが該ネットワークデバイスにより送信された該構成情報を受信することは、
該端末デバイスが上位レイヤシグナリングを介して該ネットワークデバイスにより送信された該構成情報を受信することを含む。
【００１９】
第２の態様として、本願の実施例が下り制御情報の伝送方法を提供し、
ネットワークデバイスが端末デバイスに構成情報を送信し、ここで、該構成情報がＤＣＩフォーマットに対応することと、
該端末デバイスが該第１のＤＣＩのＤＣＩフォーマット及び該構成情報に基づいて該第１のＤＣＩを解析するように、該ネットワークデバイスが該端末デバイスに第１のＤＣＩを送信することとを含む。
【００２０】
任意選択で、第２の態様の実現可能な形態において、該構成情報は、時間領域リソース指示情報、ＣＳＩ報告セット、周波数領域リソース指示タイプ、周波数領域リソース指示粒度のうちの少なくとも１つを含む。
【００２１】
任意選択で、第２の態様の実現可能な形態において、該ＤＣＩフォーマットは、圧縮ＤＣＩフォーマット及び／又は通常ＤＣＩフォーマットを含む。
【００２２】
任意選択で、第２の態様の実現可能な形態において、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応する。
【００２３】
任意選択で、第２の態様の実現可能な形態において、該第１の時間領域リソース指示情報によって示す時間領域リソースが該第１のＤＣＩが位置するサブフレームを含み、又は、該第１のＤＣＩが位置するサブフレーム及び該第１のＤＣＩが位置するサブフレームの次のサブフレームを含み、又は、
該第２の時間領域リソース指示情報によって示す時間領域リソースの構成数が該第３の時間領域リソース指示情報によって示す時間領域リソースの構成数よりも小さい。
【００２４】
任意選択で、第２の態様の実現可能な形態において、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応する。
【００２５】
任意選択で、第２の態様の実現可能な形態において、
前記第１のＣＳＩ報告セットは、非周期ＣＳＩ報告を含み、又は、
ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【００２６】
任意選択で、第２の態様の実現可能な形態において、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応する。
【００２７】
任意選択で、第２の態様の実現可能な形態において、該第１の周波数領域リソース指示粒度によって示す周波数領域粒度が該第２の周波数領域リソース指示粒度によって示す周波数領域粒度よりも大きい。
【００２８】
任意選択で、第２の態様の実現可能な形態において、該構成情報が第１の周波数領域リソース指示タイプ及び第２の周波数領域リソース指示タイプを含み、ここで、該第２の周波数領域リソース指示タイプが該圧縮ＤＣＩフォーマットに対応し、該第１の周波数領域リソースタイプと該第２の周波数領域リソース指示タイプとが該通常ＤＣＩフォーマットに対応する。
【００２９】
任意選択で、第２の態様の実現可能な形態において、該第１のＤＣＩは、ＵＲＬＬＣサービスをスケジューリングするために使用される。
【００３０】
任意選択で、第２の態様の実現可能な形態において、該ネットワークデバイスが端末デバイスに構成情報を送信することは、
該ネットワークデバイスが上位レイヤシグナリングを介して該ネットワークデバイスに該構成情報を送信することを含む。
【００３１】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するための機能モジュールを含む。
【００３２】
第４の態様は、上記の第２の態様または第２の態様の任意の可能な実装における方法を実行するためのネットワークデバイスを提供する。具体的には、ネットワークデバイスは、上記の第２の態様または第２の態様の任意の可能な実装形態における方法を実行するための機能モジュールを含む。
【００３３】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、端末デバイスに、上記の第１の態様または第１の態様の可能な実装のいずれかにおける方法を実行させる。
【００３４】
第６の態様では、プロセッサと、メモリと、送受信機とを含むネットワークデバイスを提供する。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。  
第７の態様は、上述の方法または任意の可能な実装を実行するための命令を含むコンピュータプログラムを記憶するためのコンピュータ可読媒体を提供する。
【００３５】
第８の態様は、命令を含むコンピュータプログラム製品を提供し、コンピュータプログラム製品は、コンピュータ上で実行されると、コンピュータに、上述の方法または任意の可能な実装の方法を実行させる。
【００３６】
したがって、本願の実施例において、端末デバイスは、第１のＤＣＩフォーマットとＤＣＩフォーマットに対応する構成情報とに基づいて第１のＤＣＩを解析することができ、これにより、時間周波数リソースの柔軟性、有効性および適応性を最適化し、シグナリングオーバーヘッドを低減し、ＤＣＩの伝送信頼性を向上させることができる。
【図面の簡単な説明】
【００３７】
【図１】本願の実施例における応用シナリオの模式図である。
【図２】本願の実施例における下り制御情報の伝送方法のフローチャートである。
【図３】本願の実施例における他の下り制御情報の伝送方法のフローチャートである。
【図４】本願の実施例における端末デバイスのブロック図である。
【図５】本願の実施例におけるネットワークデバイスのブロック図である。
【図６】本願の実施例における無線通信デバイスのブロック図である。
【図７】本願の実施例におけるシステムチップのブロック図である。
【発明を実施するための形態】
【００３８】
以下、本願の実施例における技術的解決策を、本願の実施例における添付図面と併せて、明確かつ完全に説明する。
【００３９】
本願の実施例の技術的解決策は、例えば、グローバルシステム移動通信(  Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ  )システム、符号分割多元接続(  Ｃｏｄｅ  Ｄｉｖｉｓｉｏｎ  Ｍｕｌｔｉｐｌｅ  Ａｃｃｅｓｓ、ＣＤＭＡ  )システム、広帯域符号分割多元接続(  Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ  )システム、汎用パケット無線サービス(  Ｇｅｎｅｒａｌ  Ｐａｃｋｅｔ  Ｒａｄｉｏ  Ｓｅｒｖｉｃｅ、ＧＰＲＳ  )、ロングタームエボリューション(  Ｌｏｎｇ  Ｔｅｒｍ  Ｅｖｏｌｕｔｉｏｎ、ＬＴＥ  )システム、ＬＴＥ周波数分割複信(  Ｆｒｅｑｕｅｎｃｙ  Ｄｉｖｉｓｉｏｎ  Ｄｕｐｌｅｘ、ＦＤＤ  )システム、ＬＴＥ時分割複信(  Ｔｉｍｅ  Ｄｉｖｉｓｉｏｎ  Ｄｕｐｌｅｘ、ＴＤＤ  )、汎用移動通信システム(  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ  )、ＷｉＭＡＸ通信システム又は５Ｇシステム(ネオポート(  Ｎｅｗ  Ｒａｄｉｏ、ＮＲ  )システムとも称され得る)など、様々な通信システムに適用され得る。
【００４０】
本願の実施例における端末デバイスは、ユーザ装置(  Ｕｓｅｒ  Ｅｑｕｉｐｍｅｎｔ、ＵＥ  )、アクセス端末、ユーザデバイス、ユーザ局、移動局、リモート端末、モバイル装置、ユーザ端末、無線通信デバイス、ユーザエージェント又はユーザ装置を指してもよい。アクセス端末は、セルラー電話、コードレス電話、セッション開始プロトコル(  Ｓｅｓｓｉｏｎ  Ｉｎｉｔｉａｔｉｏｎ  Ｐｒｏｔｏｃｏｌ、ＳＩＰ  )電話、ワイヤレスローカルループ(  Ｗｉｒｅｌｅｓｓ  Ｌｏｃａｌ  Ｌｏｏｐ、ＷＬＬ  )局、パーソナルデジタル処理(  Ｐｅｒｓｏｎａｌ  Ｄｉｇｉｔａｌ  Ａｓｓｉｓｔａｎｔ、ＰＤＡ  )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来進化する一般陸上モバイル通信ネットワーク(  Ｐｕｂｌｉｃ  Ｌａｎｄ  Ｍｏｂｉｌｅ  Ｎｅｔｗｏｒｋ、ＰＬＭＮ  )における端末デバイスなどであり得るが、本開示の実施例は限定されない。
【００４１】
本開示は、ネットワークデバイスに関連して様々な実施例を説明する。本願の実施例におけるネットワークデバイスは、端末デバイスと通信するためのデバイスであってもよく、該ネットワークデバイスは、ＬＴＥシステムにおける進化型基地局(  Ｅｖｏｌｕｔｉｏｎａｌ  ＮｏｄｅＢ、ｅＮＢ又はｅＮｏｄｅＢ  )であってもよく、或いは、クラウド無線アクセスネットワーク(  Ｃｌｏｕｄ  Ｒａｄｉｏ  Ａｃｃｅｓｓ  Ｎｅｔｗｏｒｋ、ＣＲＡＮ  )シナリオにおける無線コントローラであってもよく、或いは、該ネットワークデバイスは、中継局、アクセスポイント、車載装置、ウェアラブル装置、次世代エボリューション基地局(  Ｎｅｘｔ  Ｇｅｎｅｒａｔｉｏｎ  Ｅｖｏｌｕｔｉｏｎａｌ  ＮｏｄｅＢ、ＮＧ−ｅＮＢ  )及び５Ｇネットワークにおけるアクセスネットワークデバイス(例えば、ｇＮＢ  )又は将来進化するパブリックモバイルネットワーク(  Ｐｕｂｌｉｃ  Ｌａｎｄ  Ｍｏｂｉｌｅ  Ｎｅｔｗｏｒｋ、ＰＬＭＮ  )ネットワークにおけるアクセスネットワークデバイス等であってもよく、本願の実施例は限定されない。
【００４２】
任意選択で、端末デバイス１２０間の端末直接接続(  Ｄｅｖｉｃｅ  ｔｏ  Ｄｅｖｉｃｅ、Ｄ2Ｄ  )通信が行われてもよい。
【００４３】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００４４】
任意選択で、無線通信システム１００は、アクセス及びモビリティ管理機能(  Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ  )、セッション管理機能(  Ｓｅｓｓｉｏｎ  Ｍａｎａｇｅｍｅｎｔ  Ｆｕｎｃｔｉｏｎ、ＳＭＦ  )、統合データ管理(  Ｕｎｉｆｉｅｄ  Ｄａｔａ  Ｍａｎａｇｅｍｅｎｔ、ＵＤＭ  )、認証サーバ機能(  Ａｕｔｈｅｎｔｉｃａｔｉｏｎ  Ｓｅｒｖｅｒ  Ｆｕｎｃｔｉｏｎ、ＡＵＳＦ  )などの他のネットワークエンティティをさらに含むことができ、本願の実施例はこれに限定されない。
【００４５】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク(  Ｃｏｍｐａｃｔ  Ｄｉｓｃ、ＣＤ  )、デジタル多用途ディスク（  Ｄｉｇｉｔａｌ  Ｖｅｒｓａｔｉｌｅ  Ｄｉｓｃ、ＤＶＤ  )など)、スマートカード、及びフラッシュメモリデバイス(例えば、書き換え可能プログラマブルリードオンリメモリ(  Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ  )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００４６】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４７】
図２は本願の実施例における下り制御情報の伝送方法２００のフローチャートである。該方法２００は、任意選択で、図１に示すシステムに応用されるが、これに限定されない。該方法２００は、以下の少なくとも一部を含む。
【００４８】
Ｓ２１０において、端末デバイスがネットワークデバイスにより送信された第１のＤＣＩを受信する。
【００４９】
任意選択で、該第１のＤＣＩは、ＵＲＬＬＣサービスをスケジューリングするために使用される。
【００５０】
Ｓ２２０において、該端末デバイスが該第１のＤＣＩのＤＣＩフォーマット及び構成情報に基づいて該第１のＤＣＩを解析し、ここで、該構成情報がＤＣＩフォーマットに対応する。
【００５１】
任意選択で、該構成情報は、時間領域リソース指示情報、ＣＳＩ報告セット、周波数領域リソース指示タイプ、周波数領域リソース指示粒度のうちの少なくとも１つを含む。
【００５２】
任意選択で、時間領域リソース指示情報は、時間領域リソース指示テーブルであってもよい。
【００５３】
具体的に、該端末デバイスが該第１のＤＣＩのＤＣＩフォーマット（ＤＣＩ  ｆｏｒｍａｔ）及び該構成情報に基づいて、該第１のＤＣＩによりスケジューリングされて伝送されるデータの時間領域リソース及び／又は周波数領域リソース及び／又はＣＳＩ報告を解析する。
【００５４】
任意選択で、該ＤＣＩフォーマットは、圧縮ＤＣＩフォーマット及び／又は通常ＤＣＩフォーマットを含む。
【００５５】
なお、占有ビット数が少ないＵＲＬＬＣサービススケジューリングには、主に圧縮ＤＣＩ  ｆｏｒｍａｔのＤＣＩが使用され、占有ビット数が多い従来のサービススケジューリング(例えば、拡張されたモバイルブロードバンド(  Ｅｎｈａｎｃｅ  Ｍｏｂｉｌｅ  Ｂｒｏａｄｂａｎｄ、ｅＭＢＢ  )サービス)には、主に通常のＤＣＩ  ｆｏｒｍａｔのＤＣＩが使用され、スケジューリングの柔軟性が高い。
【００５６】
ある実現可能な形態において、該構成情報が時間領域リソース指示情報を含む場合、該端末デバイスは、該構成情報及び該第１のＤＣＩにおける時間領域リソース指示ドメインの値に基づいて、該第１のＤＣＩによりスケジューリングされて伝送されるデータの時間領域リソース位置を決定することができる。
【００５７】
具体的に、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応する。
【００５８】
例えば、該構成情報が時間領域リソース指示情報ａ及び時間領域リソース指示情報ｂを含み、ここで、該時間領域リソース指示情報ａが圧縮ＤＣＩフォーマットに対応し、該時間領域リソース指示情報ｂが通常ＤＣＩフォーマットに対応する。
【００５９】
該第１のＤＣＩのＤＣＩフォーマットが該圧縮ＤＣＩフォーマットに属する場合、該端末デバイスは、該第１のＤＣＩにおける時間領域リソース指示ドメインの値及び該時間領域リソース指示情報ａに基づいて、該第１のＤＣＩによりスケジューリングされて伝送されるデータの時間領域リソース位置を決定する。
【００６０】
該第１のＤＣＩのＤＣＩフォーマットが該通常ＤＣＩフォーマットに属する場合、該端末デバイスが該第１のＤＣＩにおける時間領域リソース指示ドメインの値及び該時間領域リソース指示情報ｂに基づいて、該第１のＤＣＩによりスケジューリングされて伝送されるデータの時間領域リソース位置を決定する。
【００６１】
任意選択で、該第１の時間領域リソース指示情報によって示す時間領域リソースは、該第１のＤＣＩが位置するサブフレーム、又は、該第１のＤＣＩが位置するサブフレーム及び該第１のＤＣＩが位置するサブフレームの次のサブフレームを含み、又は、
該第１の時間領域リソース指示情報によって示す時間領域リソースの構成数が該第２の時間領域リソース指示情報によって示す時間領域リソースの構成数よりも小さい。
【００６２】
任意選択で、該第１の時間領域リソース指示情報及び／又は該第２の時間領域リソース指示情報におけるＤＣＩにおける時間領域リソース指示ドメインの値は、時間領域リソースの開始シンボル、時間及びデータチャネルタイプ（例えば、タイプＡ（Ｔｙｐｅ  Ａ）、タイプB（Ｔｙｐｅ  Ｂ））に対応する。
【００６３】
例如、該第１の時間領域リソース指示情報は、表１に示し、該第２の時間領域リソース指示情報は、表２に示す。
【表１】
2021517762.tif 000003
【表２】
2021517762.tif 000004
【００６４】
したがって、時間領域リソース指示を柔軟かつ効率的に行うことができ、特定のシナリオ(例えば、ＵＲＬＬＣスケジューリング)での冗長構成(サブフレームにわたるスケジューリング、大きな粒子のスケジューリング)の発生を回避するか、または、ＵＲＬＬＣに適した少数の時間領域リソース構成のみを回避することができ、これにより、物理層シグナリングオーバーヘッドを減少させ、シグナリングの信頼性を向上させることができる。
【００６５】
ある実現可能な形態において、該構成情報がＣＳＩ報告セット（ＣＳＩ  ｒｅｐｏｒｔセット）を含む場合、該端末デバイスは、該構成情報及び該第１のＤＣＩにおけるＣＳＩ報告指示ドメインの値に基づいて、該第１のＤＣＩによりスケジューリングされて伝送されるデータのＣＳＩ報告を決定することができる。
【００６６】
具体的に、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応する。
【００６７】
例えば、該構成情報がＣＳＩ報告セットａ及びＣＳＩ報告セットｂを含み、ここで、該ＣＳＩ報告セットａが圧縮ＤＣＩフォーマットに対応し、該ＣＳＩ報告セットｂが通常ＤＣＩフォーマットに対応する。
【００６８】
該第１のＤＣＩのＤＣＩフォーマットが該圧縮ＤＣＩフォーマットに属する場合、該端末デバイスが該第１のＤＣＩにおけるＣＳＩ報告指示ドメインの値及び該ＣＳＩ報告セットａに基づいて該第１のＤＣＩによりスケジューリングされて伝送されるデータのＣＳＩ報告を決定する。
【００６９】
該第１のＤＣＩのＤＣＩフォーマットが該通常ＤＣＩフォーマットに属する場合、該端末デバイスが該第１のＤＣＩにおけるＣＳＩ報告指示ドメインの値及び該ＣＳＩ報告セットｂに基づいて該第１のＤＣＩによりスケジューリングされて伝送されるデータのＣＳＩ報告を決定する。
【００７０】
任意選択で、前記第１のＣＳＩ報告セットは、非周期ＣＳＩ報告を含み、又は、
前記第１のＣＳＩ報告セットは、ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【００７１】
任意選択で、該第１のＣＳＩ報告セット及び／又は該第２のＣＳＩ報告セットにおけるＣＳＩ報告指示ドメインの値は、ＣＳＩ報告（ＣＳＩ  ｒｅｐｏｒｔ）に対応する。
【００７２】
任意選択で、ＣＳＩ  ｒｅｐｏｒｔは、非周期的ＣＳＩ  (  Ａｐｅｒｉｏｄｉｃ  ＣＳＩ、Ａ−ＣＳＩ  )および周期的ＣＳＩ  (  Ｐｅｒｉｏｄｉｃ  ＣＳＩ、Ｐ−ＣＳＩ  )であり得、ＣＳＩは、ランク指示(  Ｒａｎｋ  Ｉｎｄｉｃａｔｉｏｎ、ＲＩ  )およびチャネル品質指示(  Ｃｈａｎｎｅｌ  Ｑｕａｌｉｔｙ  Ｉｎｄｉｃａｔｏｒ、ＣＱＩ  )を含み得る。
【００７３】
例えば、該第１のＣＳＩ報告セットは、表３に示すように、ＣＳＩ報告指示ドメインの値が１であるとき、該第１のＤＣＩの受信から報告Ａ−ＣＳまでの間に２シンボル(  ２  ｓｙｍｂｏｌｓ  )が間隔され、ＣＳＩ報告指示ドメインの値が２であるとき、第１のＤＣＩの受信から報告Ａ−ＣＳＩまでの間に４  ｓｙｍｂｏｌｓが間隔される。該第２のＣＳＩ報告セットは、表４に示すように、ＣＳＩ報告指示ドメインの値が１であるとき、第１のＤＣＩの受信から報告Ａ−ＣＳＩまでの間に２  ｓｙｍｂｏｌｓが間隔され、ＣＳＩ報告指示ドメインの値が２であるとき、第１のＤＣＩの受信から報告Ａ−ＣＳＩまでの間に４  ｓｙｍｂｏｌｓが間隔され、ＣＳＩ報告指示ドメインの値が３であるとき、第１のＤＣＩの受信から報告Ａ−ＣＳＩまでの間に１４  ｓｙｍｂｏｌｓが間隔され、ＣＳＩ報告指示ドメインの値が４であるとき、第１のＤＣＩの受信から報告Ｐ−ＣＳＩまでの間に２  ｓｙｍｂｏｌｓが間隔され、ＣＳＩ報告指示ドメインの値が５であるとき、第１のＤＣＩの受信から報告P-ＣＳＩまでの間に１４  ｓｙｍｂｏｌｓが間隔される。
【表３】
2021517762.tif 000005
【表４】
2021517762.tif 000006
【００７４】
したがって、ＣＳＩ  ｒｅｐｏｒｔセットを最適化することができ、それによって、シグナリングオーバーヘッドを低減する。
【００７５】
ある実現可能な形態において、該構成情報が周波数領域リソース指示粒度を含む場合、該端末デバイスは、該構成情報及び該第１のＤＣＩのドメイン値に基づいて、該第１のＤＣＩによりスケジューリングされて伝送されるデータの周波数領域リソースを決定することができる。
【００７６】
具体的に、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応する。
【００７７】
例えば、該構成情報が周波数領域リソース指示粒度ａ及び周波数領域リソース指示粒度ｂを含み、ここで、該周波数領域リソース指示粒度ａが圧縮ＤＣＩフォーマットに対応し、該周波数領域リソース指示粒度ｂが通常ＤＣＩフォーマットに対応する。
【００７８】
該第１のＤＣＩのＤＣＩフォーマットが該圧縮ＤＣＩフォーマットに属する場合、該端末デバイスが該第１のＤＣＩのドメイン値及び該周波数領域リソース指示粒度ａに基づいて、該第１のＤＣＩによりスケジューリングされて伝送されるデータの周波数領域リソースを決定する。
【００７９】
該第１のＤＣＩのＤＣＩフォーマットが該通常ＤＣＩフォーマットに属する場合、該端末デバイスが該第１のＤＣＩのドメイン値及び該周波数領域リソース指示粒度ｂに基づいて、該第１のＤＣＩによりスケジューリングされて伝送されるデータの周波数領域リソースを決定する。
【００８０】
任意選択で、該第１の周波数領域リソース指示粒度によって示す周波数領域粒度が該第２の周波数領域リソース指示粒度によって示す周波数領域粒度よりも大きい。
【００８１】
任意選択で、該第１の周波数領域リソース指示粒度及び／又は該第２の周波数領域リソース指示粒度は、リソースグループブロック（Ｒｅｓｏｕｒｃｅ  Ｂｌｏｃｋ  Ｇｒｏｕｐ、ＲＢＧ）のサイズ（Ｓｉｚｅ）によって示す。ＲＢＧ  Ｓｉｚｅは、（帯域幅（Ｂａｎｄ  Ｗｉｄｔｈ、ＢＷ）、ユニット（ｕｎｉｔ）、物理リソースブロック（ｐｈｙｓｉｃａｌ  ｒｅｓｏｕｒｃｅ  ＢＬＯＣＫ、ＰＲＢ））によって示す。
【００８２】
例えば、該第１の周波数領域リソース指示粒度及び該第２の周波数領域リソース指示粒度は、表５に示す。ＲＢＧ  Ｓｉｚｅが０〜６のとき、第１の周波数領域リソース粒度は４であり、第２の周波数領域リソース粒度は２であり、ＲＢＧ  Ｓｉｚｅが６〜２０の場合、第１の周波数領域リソース粒度は８であり、第２の周波数領域リソース粒度は４であり、ＲＢＧ  Ｓｉｚｅが２０〜５０である場合、第１の周波数領域リソース粒度は１６であり、第２の周波数領域リソース粒度は８であり、ＲＢＧ  Ｓｉｚｅが５０〜１００の場合、第１の周波数領域リソース粒度は３２であり、第２の周波数領域リソース粒度は１６であり、ＲＢＧ  Ｓｉｚｅが１００-２００の場合、第１の周波数領域リソース粒度は４８であり、第２の周波数領域リソース粒度は２４である。
【表５】
2021517762.tif 000007
【００８３】
したがって、物理層シグナリングオーバーヘッドを最適化(低減)することができ、第１のＤＣＩを正しく解析し、第１のＤＣＩによりスケジューリングされて伝送されるデータの周波数領域リソースを取得することができる。
【００８４】
ある実現可能な形態において、該構成情報が周波数領域リソース指示タイプを含む場合、該端末デバイスは、該構成情報及び該第１のＤＣＩのドメイン値に基づいて、該第１のＤＣＩによりスケジューリングされて伝送されるデータの周波数領域リソースを決定することができる。
【００８５】
具体的に、該構成情報が第１の周波数領域リソース指示タイプ及び第２の周波数領域リソース指示タイプを含み、ここで、該第２の周波数領域リソース指示タイプが圧縮ＤＣＩフォーマットに対応し、該第１の周波数領域リソース指示タイプと該第２の周波数領域リソース指示タイプとが該通常ＤＣＩフォーマットに対応する。
【００８６】
例えば、該構成情報が周波数領域リソース指示タイプ１及び周波数領域リソース指示タイプ２を含む場合、ここで、該周波数領域リソース指示タイプ２が圧縮ＤＣＩフォーマットに対応し、該周波数領域リソース指示タイプ１と該周波数領域リソース指示タイプ２とが該通常ＤＣＩフォーマットに対応する。
【００８７】
該第１のＤＣＩのＤＣＩフォーマットが該圧縮ＤＣＩフォーマットに属する場合、該端末デバイスが該第１のＤＣＩのドメイン値及び該周波数領域リソース指示タイプｂに基づいて、該第１のＤＣＩによりスケジューリングされて伝送されるデータの周波数領域リソースを決定する。
【００８８】
該第１のＤＣＩのＤＣＩフォーマットが該通常ＤＣＩフォーマットに属する場合、該端末デバイスが該第１のＤＣＩのドメイン値及び該周波数領域リソース指示タイプ１及び／又は該周波数領域リソース指示タイプ２に基づいて、該第１のＤＣＩによりスケジューリングされて伝送されるデータの周波数領域リソースを決定する。
【００８９】
したがって、物理層シグナリングオーバーヘッドを最適化(低減)することができ、第１のＤＣＩを正しく解析し、第１のＤＣＩによりスケジューリングされて伝送されるデータの周波数領域リソースを取得することができる。
【００９０】
ある実現可能な形態において、該ＤＣＩフォーマットは、圧縮ＤＣＩフォーマット、通常ＤＣＩフォーマット、フォールバックＤＣＩフォーマットのうちの少なくとも１つを含む。
【００９１】
なお、フォールバックＤＣＩフォーマットのＤＣＩは、主に、リンク品質の突然の劣化または送信モードの切り替えの間に使用され、それが占有されるビット数はより少ない。
【００９２】
任意選択で、フォールバックＤＣＩフォーマットと通常ＤＣＩフォーマットとが一緒に構成されてもよく、フォールバックＤＣＩフォーマットのＤＣＩは、上記の通常ＤＣＩフォーマットのＤＣＩの時間領域、周波数領域、ＣＳＩ報告の関連構成に応用される。
【００９３】
任意選択で、圧縮ＤＣＩフォーマット、通常ＤＣＩフォーマット、フォールバックＤＣＩフォーマットを別の構成にしてもよく、具体的な構成方式が圧縮ＤＣＩフォーマット及び通常ＤＣＩフォーマットの関連構成を参照し、ここで、説明を省略する。
【００９４】
任意選択で、該端末デバイスが該第１のＤＣＩのＤＣＩフォーマット及び構成情報に基づいて該第１のＤＣＩを解析する前に、該方法は、さらに
該端末デバイスが該ネットワークデバイスにより送信された該構成情報を受信することを含む。
【００９５】
具体的に、該端末デバイスが上位レイヤシグナリングを介して該ネットワークデバイスにより送信された該構成情報を受信することを含む。
【００９６】
例えば、該端末デバイスは、無線リソース制御（Ｒａｄｉｏ  Ｒｅｓｏｕｒｃｅ  Ｃｏｎｔｒｏｌ、ＲＲＣ）シグナリングを介して該ネットワークデバイスからの該構成情報を受信する。
【００９７】
したがって、本願の実施例において、端末デバイスは、第１のＤＣＩのＤＣＩフォーマットとＤＣＩフォーマットに対応する構成情報とに基づいて第１のＤＣＩを解析することができ、これにより、時間周波数リソースの柔軟性、有効性および適応性を最適化し、シグナリングオーバーヘッドを低減し、ＤＣＩの伝送信頼性を向上させることができる。
【００９８】
図３は本願の実施例における下り制御情報の伝送方法３００のフローチャートである。該方法３００は、任意選択で、図１に示すシステムに応用されるが、これに限定されない。該方法３００は、以下の少なくとも一部を含む。
【００９９】
Ｓ３１０において、ネットワークデバイスが端末デバイスに構成情報を送信し、ここで、該構成情報がＤＣＩフォーマットに対応する。
【０１００】
任意選択で、該構成情報は、時間領域リソース指示情報、ＣＳＩ報告セット、周波数領域リソース指示タイプ、周波数領域リソース指示粒度のうちの少なくとも１つを含む。
【０１０１】
任意選択で、該ＤＣＩフォーマットは、圧縮ＤＣＩフォーマット及び／又は通常ＤＣＩフォーマットを含む。
【０１０２】
Ｓ３２０において、該ネットワークデバイスが該端末デバイスに第１のＤＣＩを送信し、これにより、該端末デバイスが該第１のＤＣＩのＤＣＩフォーマット及び該構成情報に基づいて該第１のＤＣＩを解析する。
【０１０３】
任意選択で、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応する。
【０１０４】
任意選択で、該第１の時間領域リソース指示情報によって示す時間領域リソースが該第１のＤＣＩが位置するサブフレームを含み、又は、該第１のＤＣＩが位置するサブフレーム及び該第１のＤＣＩが位置するサブフレームの次のサブフレームを含み、又は、
該第２の時間領域リソース指示情報によって示す時間領域リソースの構成数が該第３の時間領域リソース指示情報によって示す時間領域リソースの構成数よりも小さい。
【０１０５】
任意選択で、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応する。
【０１０６】
任意選択で、前記第１のＣＳＩ報告セットは、非周期ＣＳＩ報告を含み、又は、
ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【０１０７】
任意選択で、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応する。
【０１０８】
任意選択で、該第１の周波数領域リソース指示粒度によって示す周波数領域粒度が該第２の周波数領域リソース指示粒度によって示す周波数領域粒度よりも大きい。
【０１０９】
任意選択で、該構成情報が第１の周波数領域リソース指示タイプ及び第２の周波数領域リソース指示タイプを含み、ここで、該第２の周波数領域リソース指示タイプが該圧縮ＤＣＩフォーマットに対応し、該第１の周波数領域リソースタイプと該第２の周波数領域リソース指示タイプとが該通常ＤＣＩフォーマットに対応する。
【０１１０】
任意選択で、該構成情報は、半静的構成情報である。
【０１１１】
任意選択で、該第１のＤＣＩは、ＵＲＬＬＣサービスをスケジューリングするために使用される。
【０１１２】
具体的に、該ネットワークデバイスが上位レイヤシグナリングを介して該ネットワークデバイスに該構成情報を送信することを含む。
【０１１３】
なお、下り制御情報の伝送方法３００におけるステップは、下り制御情報の伝送方法２００における対応するステップを参照してもよく、簡潔にするためにここでは詳述しない。
【０１１４】
したがって、本願の実施例において、ネットワークデバイスは、時間領域リソース指示情報、ＣＳＩ報告セット、周波数領域リソース指示タイプ、周波数領域リソース指示粒度のうちの少なくとも一つを含む構成情報を構成することができ、これによって、端末デバイスは、第１のＤＣＩのＤＣＩフォーマットとＤＣＩフォーマットに対応する構成情報とに基づいて第１のＤＣＩを解析することができ、これによって、時間領域リソースの柔軟性、有効性、および適応性を最適化し、シグナリングオーバーヘッドを低減し、ＤＣＩの送信信頼性を向上させることができる。
【０１１５】
図４は、本願の実施例による端末デバイス４００の概略的なブロック図である。図４に示すように、この端末デバイス４００は、通信ユニット４１０及び処理ユニット４２０を含み、
通信ユニット４１０は、ネットワークデバイスにより送信された第１のＤＣＩを受信するように構成され、
処理ユニット４２０は、該第１のＤＣＩのＤＣＩフォーマット及び構成情報に基づいて、該第１のＤＣＩを解析するように構成され、ここで、該構成情報がＤＣＩフォーマットに対応する。
【０１１６】
任意選択で、該構成情報は、時間領域リソース指示情報、ＣＳＩ報告セット、周波数領域リソース指示タイプ、周波数領域リソース指示粒度のうちの少なくとも１つを含む。
【０１１７】
任意選択で、該処理ユニット４２０は、
該第１のＤＣＩのＤＣＩフォーマット及び該構成情報に基づいて、該第１のＤＣＩによりスケジューリングされて伝送されるデータの時間領域リソース及び／又は周波数領域リソース及び／又はＣＳＩ報告を解析するように構成される。
【０１１８】
任意選択で、該ＤＣＩフォーマットは、圧縮ＤＣＩフォーマット及び／又は通常ＤＣＩフォーマットを含む。
【０１１９】
任意選択で、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応し、
該処理ユニット４２０は、
該第１のＤＣＩのＤＣＩフォーマットが該圧縮ＤＣＩフォーマットに属する場合、該第１のＤＣＩにおける時間領域リソース指示ドメインの値及び該第１の時間領域リソース指示情報に基づいて、該第１のＤＣＩによりスケジューリングされて伝送されるデータの時間領域リソース位置を決定し、又は、
該第１のＤＣＩのＤＣＩフォーマットが該通常ＤＣＩフォーマットに属する場合、該第１のＤＣＩにおける時間領域リソース指示ドメインの値及び該第２の時間領域リソース指示情報に基づいて、該第１のＤＣＩによりスケジューリングされて伝送されるデータの時間領域リソース位置を決定するように構成される。
【０１２０】
任意選択で、該第１の時間領域リソース指示情報によって示す時間領域リソースが該第１のＤＣＩが位置するサブフレームを含み、又は、該第１のＤＣＩが位置するサブフレーム及び該第１のＤＣＩが位置するサブフレームの次のサブフレームを含み、又は、
該第１の時間領域リソース指示情報によって示す時間領域リソースの構成数が該第２の時間領域リソース指示情報によって示す時間領域リソースの構成数よりも小さい。
【０１２１】
任意選択で、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応し、
該処理ユニット４２０は、具体的に、
該第１のＤＣＩのＤＣＩフォーマットが該圧縮ＤＣＩフォーマットに属する場合、該第１のＤＣＩにおけるＣＳＩ報告指示ドメインの値及び該第１のＣＳＩ報告セットに基づいて、該第１のＤＣＩによりスケジューリングされて伝送されるデータのＣＳＩ報告を決定し、又は、
該第１のＤＣＩのＤＣＩフォーマットが該通常ＤＣＩフォーマットに属する場合、該第１のＤＣＩにおけるＣＳＩ報告指示ドメインの値及び該第２のＣＳＩ報告セットに基づいて、該第１のＤＣＩによりスケジューリングされて伝送されるデータのＣＳＩ報告を決定するように構成される。
【０１２２】
任意選択で、前記第１のＣＳＩ報告セットは、非周期ＣＳＩ報告を含み、又は、
ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【０１２３】
任意選択で、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応し、
該処理ユニット４２０は、具体的に、
該第１のＤＣＩのＤＣＩフォーマットが該圧縮ＤＣＩフォーマットに属する場合、該端末デバイスが該第１のＤＣＩのドメイン値及び該第１の周波数領域リソース指示粒度に基づいて、該第１のＤＣＩによりスケジューリングされて伝送されるデータの周波数領域リソースを決定し、又は、
該第１のＤＣＩのＤＣＩフォーマットが該通常ＤＣＩフォーマットに属する場合、該端末デバイスが該第１のＤＣＩのドメイン値及び該第２の周波数領域リソース指示粒度に基づいて、該第１のＤＣＩによりスケジューリングされて伝送されるデータの周波数領域リソースを決定するように構成される。
【０１２４】
任意選択で、該第１の周波数領域リソース指示粒度によって示す周波数領域粒度が該第２の周波数領域リソース指示粒度によって示す周波数領域粒度よりも大きい。
【０１２５】
任意選択で、該構成情報が第１の周波数領域リソース指示タイプ及び第２の周波数領域リソース指示タイプを含み、ここで、該第２の周波数領域リソース指示タイプが圧縮ＤＣＩフォーマットに対応し、該第１の周波数領域リソース指示タイプと該第２の周波数領域リソース指示タイプとが該通常ＤＣＩフォーマットに対応し、
該処理ユニット４２０は、具体的に
該第１のＤＣＩのＤＣＩフォーマットが該圧縮ＤＣＩフォーマットに属する場合、該第１のＤＣＩのドメイン値及び該第２の周波数領域リソース指示タイプに基づいて、該第１のＤＣＩによりスケジューリングされて伝送されるデータの周波数領域リソースを決定し、又は、
該第１のＤＣＩのＤＣＩフォーマットが該通常ＤＣＩフォーマットに属する場合、該第１のＤＣＩのドメイン値及び該第１の周波数領域リソース指示タイプ及び／又は該第２の周波数領域リソース指示タイプに基づいて該第１のＤＣＩによりスケジューリングされて伝送されるデータの周波数領域リソースを決定するように構成される。
【０１２６】
任意選択で、該第１のＤＣＩは、ＵＲＬＬＣサービスをスケジューリングするために使用される。
【０１２７】
任意選択で、該処理ユニット４２０が該第１のＤＣＩのＤＣＩフォーマット及び構成情報に基づいて該第１のＤＣＩを解析する前に、該通信ユニット４１０は、さらに、該ネットワークデバイスにより送信された該構成情報を受信するように構成される。
【０１２８】
任意選択で、該通信ユニット４１０は、具体的に、
上位レイヤシグナリングを介して、該ネットワークデバイスにより送信された該構成情報を受信するように構成される。
【０１２９】
なお、本願の実施例による端末デバイス４００の各モジュールの上記及び他の動作及び/又は機能は、それぞれ図２の方法２００における端末デバイスの対応するフローを実現し、ここで説明を省略する
図５は本願の実施例におけるネットワークデバイス５００のブロック図である。図５に示すように、該ネットワークデバイス５００は、通信ユニット５１０を含み、
通信ユニット５１０は、端末デバイスに構成情報を送信するように構成され、ここで、該構成情報がＤＣＩフォーマットに対応し、
該通信ユニット５１０は、さらに、該端末デバイスに第１のＤＣＩを送信するように構成され、これにより、該端末デバイスが該第１のＤＣＩのＤＣＩフォーマット及び該構成情報に基づいて該第１のＤＣＩを解析する。
【０１３０】
任意選択で、該構成情報は、時間領域リソース指示情報、ＣＳＩ報告セット、周波数領域リソース指示タイプ、周波数領域リソース指示粒度のうちの少なくとも１つを含む。
【０１３１】
任意選択で、該ＤＣＩフォーマットは、圧縮ＤＣＩフォーマット及び／又は通常ＤＣＩフォーマットを含む。
【０１３２】
任意選択で、該構成情報が第１の時間領域リソース指示情報及び第２の時間領域リソース指示情報を含み、ここで、該第１の時間領域リソース指示情報が圧縮ＤＣＩフォーマットに対応し、該第２の時間領域リソース指示情報が通常ＤＣＩフォーマットに対応する。
【０１３３】
任意選択で、該第１の時間領域リソース指示情報によって示す時間領域リソースが該第１のＤＣＩが位置するサブフレームを含み、又は、該第１のＤＣＩが位置するサブフレーム及び該第１のＤＣＩが位置するサブフレームの次のサブフレームを含み、又は、
該第２の時間領域リソース指示情報によって示す時間領域リソースの構成数が該第３の時間領域リソース指示情報によって示す時間領域リソースの構成数よりも小さい。
【０１３４】
任意選択で、該構成情報が第１のＣＳＩ報告セット及び第２のＣＳＩ報告セットを含み、ここで、該第１のＣＳＩ報告セットが圧縮ＤＣＩフォーマットに対応し、該第２のＣＳＩ報告セットが通常ＤＣＩフォーマットに対応する。
【０１３５】
任意選択で、前記第１のＣＳＩ報告セットは、非周期ＣＳＩ報告を含み、又は、
ＣＳＩの報告時刻と前記第１のＤＣＩの受信時刻との間隔が第１の閾値よりも小さいＣＳＩ報告を含み、又は、
該第２のＣＳＩ報告セットに含まれるＣＳＩ報告の数が該第１のＣＳＩ報告セットに含まれるＣＳＩ報告の数よりも大きく、又は、
該第２のＣＳＩ報告セットが、半静的にトリガーされる周期的ＣＳＩ報告を含み、又は、
該第２のＣＳＩ報告セットに含まれるＣＳＩ報告のトリガーシグナリングが占用するビット数が該第１のＣＳＩ報告セットに含まれるＣＳＩ報告のトリガーシグナリングが占用するビット数よりも大きい。
【０１３６】
任意選択で、該構成情報が第１の周波数領域リソース指示粒度及び第２の周波数領域リソース指示粒度を含み、ここで、該第１の周波数領域リソース指示粒度が圧縮ＤＣＩフォーマットに対応し、該第２の周波数領域リソース指示粒度が通常ＤＣＩフォーマットに対応する。
【０１３７】
任意選択で、該第１の周波数領域リソース指示粒度によって示す周波数領域粒度が該第２の周波数領域リソース指示粒度によって示す周波数領域粒度よりも大きい。
【０１３８】
任意選択で、該構成情報が第１の周波数領域リソース指示タイプ及び第２の周波数領域リソース指示タイプを含み、ここで、該第２の周波数領域リソース指示タイプが該圧縮ＤＣＩフォーマットに対応し、該第１の周波数領域リソースタイプと該第２の周波数領域リソース指示タイプとが該通常ＤＣＩフォーマットに対応する。
【０１３９】
任意選択で、該第１のＤＣＩは、ＵＲＬＬＣサービスをスケジューリングするために使用される。
【０１４０】
任意選択で、該通信ユニット５１０は、具体的に、
上位レイヤシグナリングを介して、該ネットワークデバイスに該構成情報を送信するように構成される。
【０１４１】
なお、本願の実施例によるネットワークデバイス５００における様々なモジュールの上記及び他の動作及び/又は機能は、それぞれ、図３の方法３００におけるネットワークデバイスの対応するフローを実施するために、簡潔のためにここで説明を省略する
図６は、本願の実施例によって提供される無線通信デバイス６００の概略ブロック図を示し、デバイス６００は、
コードを含むプログラムを記憶するためのメモリ６１０と、
他の装置と通信するための送受信機６２０と
メモリ６１０内のプログラムコードを実行するために使用されるプロセッサ６３０とを備える。
【０１４２】
任意選択で、送受信機６２０は、プロセッサ６３０の駆動下で特定の信号の送受信を実行するために使用される。
【０１４３】
任意選択で、コードが実行されると、プロセッサ６３０は、図２の方法２００において端末デバイスによって実行される様々な動作を実施してもよく、簡潔のためにここでは詳しい説明を省略する。この場合、デバイス６００は、携帯電話であってもよい。
【０１４４】
任意選択で、コードが実行されると、プロセッサ６３０は、図３の方法３００においてネットワークデバイスによって実行される様々な動作を実施してもよく、簡潔のためにここでは詳しい説明を省略する。この時点で、デバイス６００は、ネットワークデバイス(例えば、基地局)であり得る。
【０１４５】
本願の実施例において、プロセッサ６３０は、中央処理装置(  ＣＥＮＴＲＡＬ  Ｐｒｏｃｅｓｓｉｎｇ  Ｕｎｉｔ、ＣＰＵ  )であってもよく、他の汎用プロセッサ、デジタル信号プロセッサ(  ＤＳＰ  )、特定用途向け集積回路(  ＡＳＩＣ  )、既製プログラマブルゲートアレイ(  ＦＰＧＡ  )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１４６】
メモリ６１０は、読み出し専用メモリおよびランダムアクセスメモリを含み得、プロセッサ６３０に命令およびデータを提供し得る。メモリ６１０の一部は、不揮発性ランダムアクセスメモリも含み得る。例えば、メモリ６１０は、デバイスタイプの情報をさらに記憶することができる。
【０１４７】
送受信機６２０は、周波数変調および復調機能またはアップコンバートおよびダウンコンバート機能などの信号送信および受信機能を実装するために使用され得る。
【０１４８】
実装の過程で、方法の少なくとも１つのステップは、プロセッサ６３０内のハードウェアの集積論理回路によって達成されてもよく、または、集積論理回路は、ソフトウェアの形態の命令駆動の下で少なくとも１つのステップを実施してもよい。したがって、無線通信デバイス６００は、チップまたはチップセットであり得る。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ６３０は、メモリ内の情報を読み出し、ハードウェアとともに上述した方法のステップを実行する。重複を避けるため、ここでは詳細な説明は省略する。
【０１４９】
図７は、本願の実施例に係るシステムチップ７００の概略構成図である。図７のシステムチップ７００は、入力インターフェース７０１、出力インターフェース７０２、メモリ７０４内のコードを実行するプロセッサ７０３、及びメモリ７０４を含み、それらは内部通信接続線を介して接続することができる。
【０１５０】
任意選択で、コードが実行されると、プロセッサ７０３は、方法２００の実施例において端末デバイスによって実行される方法を実施する。簡潔にするために、ここで説明を省略する。
【０１５１】
任意選択で、コードが実行されると、プロセッサ７０３は、方法３００の実施例においてネットワークデバイスによって実行される方法を実施する。簡潔にするために、ここで説明を省略する。
【０１５２】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線(  ＤＳＬ  )  )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ  )、又は半導体媒体(例えば、ソリッドステートドライブＳｏｌｉｄ  Ｓｔａｔｅ  Ｄｉｓｋ  （  ＳＳＤ  )  )などであってもよい。
【０１５３】
本願の様々な実施例において、上述のプロセスの順序のサイズは、実行順序の先後を意味するものではなく、各プロセスの実行順序は、その機能及び内部ロジックにおいて決定されるべきであり、本願の実施例のプロセスを何ら限定するものではないことを理解されたい。
【０１５４】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略されることを理解するであろう。
【０１５５】
以上の説明は、本願の特定の実施例にすぎず、本願の保護範囲は、これに限定されるものではなく、本願の技術分野における通常の知識を有する者であれば、本願の技術的範囲内で容易に変形や置換を想到できるものであり、それらも本願の保護範囲に包含されるものである。したがって、本願の保護範囲は、特許請求の範囲の保護範囲に準ずるものとする。
【図１】
2021517762.tif 000008
【図２】
2021517762.tif 000009
【図３】
2021517762.tif 000010
【図４】
2021517762.tif 000011
【図５】
2021517762.tif 000012
【図６】
2021517762.tif 000013
【図７】
2021517762.tif 000014
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより送信された第１の下り制御情報ＤＣＩを受信することと、
前記端末デバイスが前記第１のＤＣＩのＤＣＩフォーマット及びＤＣＩフォーマットに対応する構成情報に基づいて前記第１のＤＣＩを解析することとを含み、
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする下り制御情報の伝送方法。
【請求項２】
前記端末デバイスが前記第１のＤＣＩのＤＣＩフォーマット及び構成情報に基づいて前記第１のＤＣＩを解析することは、
前記端末デバイスが前記第１のＤＣＩのＤＣＩフォーマット及び前記構成情報に基づいて、前記第１のＤＣＩによりスケジューリングされて伝送されるデータの時間領域リソース、周波数領域リソース、ＣＳＩ報告のうちの少なくとも１つを解析することを含む
ことを特徴とする請求項１に記載の下り制御情報の伝送方法。
【請求項３】
前記ＤＣＩフォーマットは、圧縮ＤＣＩフォーマット又は通常ＤＣＩフォーマットを含む
ことを特徴とする請求項１に記載の下り制御情報の伝送方法。
【請求項４】
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩにおける時間領域リソース指示ドメインの値及び前記第１の時間領域リソース指示情報に基づいて前記第１のＤＣＩによりスケジューリングされて伝送されるデータの時間領域リソース位置を決定すること、又は、
前記第１のＤＣＩのＤＣＩフォーマットが前記通常ＤＣＩフォーマットに属する場合、前記端末デバイスが前記第１のＤＣＩにおける時間領域リソース指示ドメインの値及び前記第２の時間領域リソース指示情報に基づいて前記第１のＤＣＩによりスケジューリングされて伝送されるデータの時間領域リソース位置を決定することを含み、
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応する
ことを特徴とする請求項１〜３のいずれか１項に記載の下り制御情報の伝送方法。
【請求項５】
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩにおけるＣＳＩ報告指示ドメインの値及び前記第１のＣＳＩ報告セットに基づいて前記第１のＤＣＩによりスケジューリングされて伝送されるデータのＣＳＩ報告を決定すること、又は、
前記第１のＤＣＩのＤＣＩフォーマットが前記通常ＤＣＩフォーマットに属する場合、前記端末デバイスが前記第１のＤＣＩにおける時間領域リソース指示ドメインの値及び前記第２のＣＳＩ報告セットに基づいて前記第１のＤＣＩによりスケジューリングされて伝送されるデータのＣＳＩ報告を決定することを含み、
前記構成情報が第１のＣＳＩ報告セット及び第２のＣＳＩ報告セットを含み、
前記第１のＣＳＩ報告セットが圧縮ＤＣＩフォーマットに対応し、前記第２のＣＳＩ報告セットが通常ＤＣＩフォーマットに対応する
ことを特徴とする請求項１〜４のいずれか１項に記載の下り制御情報の伝送方法。
【請求項６】
前記端末デバイスが前記第１のＤＣＩのＤＣＩフォーマット及び構成情報に基づいて前記第１のＤＣＩを解析することは、
前記第１のＤＣＩのＤＣＩフォーマットが前記圧縮ＤＣＩフォーマットに属する場合、前記端末デバイスが前記第１のＤＣＩのドメイン値及び前記第１の周波数領域リソース指示粒度に基づいて、前記第１のＤＣＩによりスケジューリングされて伝送されるデータの周波数領域リソースを決定すること、又は、
前記第１のＤＣＩのＤＣＩフォーマットが前記通常ＤＣＩフォーマットに属する場合、前記端末デバイスが前記第１のＤＣＩのドメイン値及び前記第２の周波数領域リソース指示粒度に基づいて、前記第１のＤＣＩによりスケジューリングされて伝送されるデータの周波数領域リソースを決定することを含み、
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応し、
ことを特徴とする請求項１〜５のいずれか１項に記載の下り制御情報の伝送方法。
【請求項７】
前記第１の周波数領域リソース指示粒度によって示す周波数領域粒度が前記第２の周波数領域リソース指示粒度によって示す周波数領域粒度よりも大きい
ことを特徴とする請求項６に記載の下り制御情報の伝送方法。
【請求項８】
前記第１のＤＣＩは、高信頼低遅延通信ＵＲＬＬＣサービスをスケジューリングするために使用される
ことを特徴とする請求項１〜７のいずれか１項に記載の下り制御情報の伝送方法。
【請求項９】
前記端末デバイスが前記第１のＤＣＩのＤＣＩフォーマット及び構成情報に基づいて前記第１のＤＣＩを解析する前に、前記方法は、さらに、
前記端末デバイスが上位レイヤシグナリングを介して前記ネットワークデバイスにより送信された前記構成情報を受信することを含む
ことを特徴とする請求項１〜８のいずれか１項に記載の下り制御情報の伝送方法。
【請求項１０】
通信ユニットと、処理ユニットと、を備える端末デバイスであって、
前記通信ユニットは、ネットワークデバイスにより送信された第１の下り制御情報ＤＣＩを受信するように構成され、
前記処理ユニットは、前記第１のＤＣＩのＤＣＩフォーマット及び構成情報に基づいて前記第１のＤＣＩを解析するように構成され、前記構成情報がＤＣＩフォーマットに対応し、
前記構成情報は、時間領域リソース指示情報、チャネル状態情報ＣＳＩ報告セット、周波数領域リソース指示タイプ、周波数領域リソース指示粒度のうちの少なくとも１つを含む
ことを特徴とする端末デバイス。
【請求項１１】
前記処理ユニットは、
前記第１のＤＣＩのＤＣＩフォーマット及び前記構成情報に基づいて前記第１のＤＣＩによりスケジューリングされて伝送されるデータの時間領域リソース、周波数領域リソース、ＣＳＩ報告のうちの少なくとも１つを解析するように構成される
ことを特徴とする請求項１０に記載の端末デバイス。
【請求項１２】
前記ＤＣＩフォーマットは、圧縮ＤＣＩフォーマット及び／又は通常ＤＣＩフォーマットを含む
ことを特徴とする請求項１０又は１１に記載の端末デバイス。
【請求項１３】
前記処理ユニットは、
前記第１のＤＣＩのＤＣＩフォーマットが前記圧縮ＤＣＩフォーマットに属する場合、前記第１のＤＣＩにおける時間領域リソース指示ドメインの値及び前記第１の時間領域リソース指示情報に基づいて、前記第１のＤＣＩによりスケジューリングされて伝送されるデータの時間領域リソース位置を決定し、又は、
前記第１のＤＣＩのＤＣＩフォーマットが前記通常ＤＣＩフォーマットに属する場合、前記第１のＤＣＩにおける時間領域リソース指示ドメインの値及び前記第２の時間領域リソース指示情報に基づいて、前記第１のＤＣＩによりスケジューリングされて伝送されるデータの時間領域リソース位置を決定するように構成され、
前記構成情報が第１の時間領域リソース指示情報及び第２の時間領域リソース指示情報を含み、前記第１の時間領域リソース指示情報が圧縮ＤＣＩフォーマットに対応し、前記第２の時間領域リソース指示情報が通常ＤＣＩフォーマットに対応する
ことを特徴とする請求項１０〜１２のいずれか１項に記載の端末デバイス。
【請求項１４】
前記処理ユニットは、
前記第１のＤＣＩのＤＣＩフォーマットが前記圧縮ＤＣＩフォーマットに属する場合、前記第１のＤＣＩにおけるＣＳＩ報告指示ドメインの値及び前記第１のＣＳＩ報告セットに基づいて前記第１のＤＣＩによりスケジューリングされて伝送されるデータのＣＳＩ報告を決定し、又は、
前記第１のＤＣＩのＤＣＩフォーマットが前記通常ＤＣＩフォーマットに属する場合、前記第１のＤＣＩにおけるＣＳＩ報告指示ドメインの値及び前記第２のＣＳＩ報告セットに基づいて前記第１のＤＣＩによりスケジューリングされて伝送されるデータのＣＳＩ報告を決定するように構成され、
前記構成情報が第１のＣＳＩ報告セット及び第２のＣＳＩ報告セットを含み、前記第１のＣＳＩ報告セットが圧縮ＤＣＩフォーマットに対応し、前記第２のＣＳＩ報告セットが通常ＤＣＩフォーマットに対応する
ことを特徴とする請求項１０〜１３のいずれか１項に記載の端末デバイス。
【請求項１５】
前記処理ユニットは、
前記第１のＤＣＩのＤＣＩフォーマットが前記圧縮ＤＣＩフォーマットに属する場合、前記端末デバイスが前記第１のＤＣＩのドメイン値及び前記第１の周波数領域リソース指示粒度に基づいて、前記第１のＤＣＩによりスケジューリングされて伝送されるデータの周波数領域リソースを決定し、又は、
前記第１のＤＣＩのＤＣＩフォーマットが前記通常ＤＣＩフォーマットに属する場合、前記端末デバイスが前記第１のＤＣＩのドメイン値及び前記第２の周波数領域リソース指示粒度に基づいて、前記第１のＤＣＩによりスケジューリングされて伝送されるデータの周波数領域リソースを決定するように構成され、
前記構成情報が第１の周波数領域リソース指示粒度及び第２の周波数領域リソース指示粒度を含み、前記第１の周波数領域リソース指示粒度が圧縮ＤＣＩフォーマットに対応し、前記第２の周波数領域リソース指示粒度が通常ＤＣＩフォーマットに対応する
ことを特徴とする請求項１０〜１４のいずれか１項に記載の端末デバイス。
【請求項１６】
前記第１の周波数領域リソース指示粒度によって示す周波数領域粒度が前記第２の周波数領域リソース指示粒度によって示す周波数領域粒度よりも大きい
ことを特徴とする請求項１５に記載の端末デバイス。
【国際調査報告】
2021517762.tif 000015
2021517762.tif 000016
2021517762.tif 000017
2021517762.tif 000018